(57)【特許請求の範囲】
【請求項１】
開口を有する器具本体と、前記開口を閉じるように配置された表示パネルと、前記器具本体に設けられて前記表示パネルを光らせる光源と、前記器具本体内に配置されて前記光源を点灯する点灯ブロックとを備え、前記点灯ブロックは発光素子を含む電子部品が実装されたプリント基板を有し、前記器具本体は前記開口を形成する周壁に前記発光素子の発光部が臨む孔を有し、前記孔の中心を前記発光部の発光中心よりも前記表示パネル寄りに位置した表示用照明器具。
【請求項２】
前記電子部品は点検スイッチを含み、前記点検スイッチは前記プリント基板に平行に押圧が加わる押しボタン型であり、
前記点灯ブロックはそのケースに前記点検スイッチを押し操作可能なボタンを保持し、前記ボタンは所定の範囲内のみ移動可能に前記ケースに規制されており、
前記器具本体は前記ボタンに臨み前記ボタンを操作するための孔を有する請求項１記載の表示用照明器具。
【請求項３】
前記器具本体は前記開口を前面に有する箱形であり、
前記プリント基板は、前記表示パネルと平行に配置され、前記点検スイッチは前記周壁を構成する下板に接近した位置で前記下板の長手方向の端部に設けられ、
前記電子部品は充電モニタを含み、前記充電モニタは前記点検スイッチよりも前記下板の長手方向の中央寄りに並び、
前記器具本体は前記充電モニタに対向する孔を有する請求項２記載の表示用照明器具。
【請求項４】
前記ランプモニタよりも前記下板の長手方向の中央側に自己点検スイッチまたはリモコン受信部を有する請求項３記載の表示用照明器具。
【発明の詳細な説明】
【技術分野】
【０００１】
この発明は、誘導灯などの表示用照明器具に関するものである。
【背景技術】
【０００２】
従来例（例えば特許文献１参照）の誘導灯を図７から図９に示す。１５０は器具本体、１５１はランプホルダ、１５２は表示ユニット、１５３は点灯ブロック、１５４は電池ボックス、１５５は点検ブロック、１５６は端子台、１５７はランプソケットである。
【０００３】
この誘導灯は、点灯ブロック１５３とは別に点検ブロック１５５を設け、器具本体１５０の背面に垂直に配置されたプリント基板１５９に点検スイッチ１６０とランプモニタ１６１が実装されており、ランプモニタ１６１は器具本体１５０のランプモニタ用の孔１６２の中心に配置されていた。１５８は点検スイッチ１６０に対向する器具本体１５０の孔である。
【０００４】
また、点検スイッチ１６０およびランプモニタ１６１などの配置は、プリント基板１５９に点検スイッチ１６０とランプモニタ１６１が実装されているため、図９のように点検スイッチ１６０およびランプモニタ１６１を器具背面または表示ユニット１５２に垂直方向な方向に並べて二段に配置することができる。
【特許文献１】特開２００２−２３６７１号公報
【発明の開示】
【発明が解決しようとする課題】
【０００５】
しかしながら、この従来例は、壁面に取付けた際には壁面に顔を近づけないとランプモニタ１６２が見にくいものであった。
【０００６】
また点検スイッチ１６０およびランプモニタ１６１は点灯ブロック１５３の器具本体１５０の背面に平行なプリント基板とは別に、器具本体１５０の背面に垂直なプリント基板１５９に実装されているが、プリント基板が２個以上必要となり、かつ接続のための電線・コネクタも必要となってしまう。
【０００７】
そこで点検スイッチ１６０およびランプモニタ１６１を点灯ブロック１５３に実装しようとした場合、器具背面と平行方向に実装することとなり、配置によっては使用しづらい配置となってしまう。  
【０００８】
したがって、この発明の目的は、上記の問題点を解決し、ランプモニタの視認性を向上することができ、使用性に優れた表示用照明器具を提供することである。
【課題を解決するための手段】
【０００９】
この発明の表示用照明器具は、開口を有する器具本体と、前記開口を閉じるように配置された表示パネルとを備える。光源は前記器具本体に設けられて前記表示パネルを光らせる。点灯ブロックは前記器具本体内に配置されて前記光源を点灯する。前記点灯ブロックは発光素子を含む電子部品が実装されたプリント基板を有し、前記器具本体は前記開口を形成する周壁に前記発光素子の発光部が臨む孔を有し、前記孔の中心を前記発光部の発光中心よりも前記表示パネル寄りに位置している。
【００１０】
上記構成において、前記電子部品は点検スイッチを含み、前記点検スイッチは前記プリント基板に平行に押圧が加わる押しボタン型であり、
前記点灯ブロックはそのケースに前記点検スイッチを押し操作可能なボタンを保持し、前記ボタンは所定の範囲内のみ移動可能に前記ケースに規制されており、
前記器具本体は前記ボタンに臨み前記ボタンを操作するための孔を有する。
【００１１】
上記構成において、前記器具本体は前記開口を前面に有する箱形であり、
前記プリント基板は、前記表示パネルと平行に配置され、前記点検スイッチは前記周壁を構成する下板に接近した位置で前記下板の長手方向の端部に設けられ、
前記電子部品は充電モニタを含み、前記充電モニタは前記点検スイッチよりも前記下板の長手方向の中央寄りに並び、
前記器具本体は前記充電モニタに対向する孔を有する。
【００１２】
上記構成において、前記ランプモニタよりも前記下板の長手方向の中央側に自己点検スイッチまたはリモコン受信部を有する。
【発明の効果】
【００１３】
この発明の表示用照明器具によれば、ＬＥＤチップなどの発光素子を例えばランプモニタとし、ランプモニタに対向して開けている器具本体の孔の中心を、ランプモニタの発光部の中心より前面の表示ユニット側にしたことにより、前面からのランプモニタの視認性を向上することができる。とくに表示用照明器具が壁面取付の場合に有効である。
【００１４】
プリント基板上の点検スイッチとは別に意匠ボタンをケースに設けることにより、押しすぎ防止を図ることができ、プリント基板の損傷を防ぐ効果がある。
【００１５】
器具本体の下板の端部より点検スイッチ、充電モニタや例えばランプモニタを順次器具本体の下板の中央側に向けて配置することにより、一般的に点検スイッチを操作する際に手指により充電モニタが隠れて見えないということがなくなるという効果がある。
【００１６】
ランプモニタよりも器具本体の下板の中央側に自己点検スイッチまたはリモコン受信部を設けたことにより、機種展開上、リモコン受信部のみ削除した機種、または自己点検スイッチおよびリモコン受信部を削除した機種を製作するとき、プリント基板は共通としたままで器具本体の孔を塞ぐ等により容易に対応することができる。
【発明を実施するための最良の形態】
【００１７】
この発明の一実施の形態の表示用照明器具例えば誘導灯を図１から図６により説明する。すなわち、この誘導灯は、器具本体１と、ランプホルダ２と、点灯ブロック３と、電池ボックス４と、端子台５と、表示ユニット６からなる。
【００１８】
器具本体１は、前面に開口１ｆを形成した直方体状の箱形とくに薄箱形であり、開口１ｆの奥側となる背板１ａ、側板１ｂ、１ｃ、下板１ｄ、上板１ｅからなる。背板１ａの側板１ｂの下端寄りに電池ボックス固定用爪を用いた係止片１４を立設状態に設けている。下板１ｄには複数の点検関連用の穴９が設けられている。上板１ｅには天井取付けの際に使用する電源穴１０および取付け穴１１が設けられている。側板１ｂ、１ｃには各上端部にランプホルダ２を支持するランプソケット１２が設けられ、中間部に表示ユニット６の引っ掛け部６ａを引っ掛けて取付けるための係止部１３を設けている。
【００１９】
ランプホルダ２は、光源として冷陰極ランプを用いた直管ランプおよび反射板を保持し、両端に直管ランプの電極に接続された接続端子２２を有し、接続端子２２がランプソケット１２に装着される。ランプホルダ２はこれにより器具本体１の開口１ｆの上部分を塞いでいる。
【００２０】
点灯ブロック３は光源となる直管ランプを点灯する点灯回路を内蔵し、その器具本体１の下板１ｄの前面側からみて右寄りに配置されている。点灯ブロック３はケース７９とケース７９内に配置され点灯部品を含む電子部品が実装されたプリント基板７８などで構成され、プリント基板７８は背板１ａに平行に配置されている。電子部品には点検スイッチ８５、充電モニタ８６、ランプモニタ８７、自己点検スイッチ８８、およびリモコン受信（受光）部８９が含まれ、これらが器具本体１の下板１ｄの点検関連用の孔９に対向している。
【００２１】
ランプモニタ８７は、直管ランプの寿命をカウントするタイマの設定時間が経過するとランプ寿命を知らせるため点灯するものである。このランプモニタ８７は発光素子として例えばＬＥＤチップを用いている。ランプモニタ８７に対向して、点灯ブロック３のケース７９に孔８０ａを有し、器具本体１は開口１ｆを形成する周壁の下板１ｄに孔９の一部としてランプモニタ８７の発光部が臨む孔９ａを有し、図５（ｂ）に示すように、孔９ａの中心Ｌをランプモニタ８７の発光部の発光中心（光軸）Ｍより表示ユニット６側に位置している。孔８０ａは孔９ａに整合する位置または孔９ａと発光中心Ｍとの間の位置に形成している。このため、とくに器具本体１を壁面に取付けた場合、ランプモニタを見るときに壁面に近づくことなくランプモニタ８７を見ることができる。
【００２２】
点検スイッチ８５は、蓄電池で光源が点灯することを確認するためのものである。この点検スイッチ８５はプリント基板７８に平行に押圧力が加わるように実装された押しボタン型であり、点検スイッチ８５を押し操作する意匠ボタンとしてボタン７６を点灯ブロック３のケース７９に保持し、ボタン７６の移動範囲は所定範囲内に規制している。すなわち、ボタン７６は押圧部７６ａと、押圧部７６ａの中心より延びた軸７６ｂと、押圧部７６ａの両側より軸７６ｂと同方向に延びた爪状の一対の係止部７６ｃとを有する。一方ケース７９に軸７６ｂを軸支する挿通孔部９０およびこれよりも大きく挿通孔部９０と同軸線上に係止部７６ｃが係止するボタン貫通孔９１を形成している。器具本体１はボタン７６に臨みボタン７６を操作するため孔９の一部としてボタン貫通孔９１に整合する孔９ｂを形成している。図６（ａ）はボタン７６を押していない状態であり、軸７６ｂは点検スイッチ８５から離れるが、係止部７６ｃがボタン貫通孔９１の縁部に係止して孔９１から外方には抜けない。図６（ｂ）はボタン７６を押し操作した状態であり、軸７６ｂの先端で点検スイッチ８５が押されるが、押圧部７６ａが挿通孔部９０の縁部に係止してそれ以上ボタン７６を押し込むことができない。このため、点検スイッチ８５を指にて直接押す構造とした場合、押しすぎによりプリント基板７８に必要以上に負荷がかかる可能性があるが、ボタン７６がケース７９に保持されているため、押しすぎ防止となる。
【００２３】
また点検スイッチ８５は下板１ｄに接近した位置でプリント基板７８の右端部に設けられ、充電モニタ８６およびランプモニタ８７は点検スイッチ８５よりも下板１ｄに沿って中央寄りにこの順序で並ぶようにプリント基板７８に実装され、器具本体１の下板１ｄにはこれらに対向する孔９ｃ、９ａを有し、かつケース７９にこれらに対向する孔８０ｂ、８０ａを有する。充電モニタ８６は蓄電池の充電状態を表示するもので、商用電源（ＡＣ）により充電中点灯し、商用電源の停電や点検スイッチ８５のオン操作による充電停止により消灯する。したがって、図３（ａ）のように、一般的に点検スイッチ８５（７６）を操作する際に手指により充電モニタ８６が隠れてみえないということがなくなる。これに対して図３（ｂ）のように、ランプモニタ８７および充電モニタ８６が点検スイッチ８５よりも端部側に配置されると、点検スイッチ８５を操作する際に充電モニタ８６が隠れて見えにくくなり、充電モニタ８６のオフ状態が確認しにくくなる。
【００２４】
さらに、ランプモニタ８７よりも器具本体１の下板１ｄに沿って中央側に自己点検スイッチ８８またはリモコン受光部８９を配置している。これらに対向して下板１ｄおよびケース７９にそれぞれ孔９ｄ、９ｅ、８０ｃ、８０ｄを形成している。自己点検スイッチ８８は定格時間の非常点灯確認を自動で点検させるためのスイッチであり、リモコン受信部８９は自己点検スイッチ８８を押すことなくリモコンにより点検を開始させるものである。この結果、器具本体１の下板１ｄには点検用として下板１ｄの端部から点検スイッチ８５、充電モニタ８６、ランプモニタ８７、自己点検スイッチ８８、リモコン受信部８９の順で配置されることとなる。そして点検スイッチ８５、充電モニタは消防法上必要とされるものであるが、機種展開上、リモコン受信部８９のみ削除した機種、自己点検スイッチ８８およびリモコン受信部８９を削除した機種を製作するとき、プリント基板７８は共通としたままで器具本体１の孔９ｄ、９ｅを塞ぐ等により容易に対応することができる。
【００２５】
電池ボックス４は、器具本体１内の点灯ブロック３の左側に配置されている。電池ボックス４は蓄電池が内蔵され、コネクタ部２７が点灯ブロック３の窪み２８に設けた端子に直接接続されている。電池ボックス４は器具本体１に設けた係止爪１４と窪み２８に設けられコネクタ部２７に引っ掛ける引っ掛け部とで固定される。
【００２６】
端子台５は電池ボックス４の上側に取付部５ａにより背板１ａに取付けられ、点灯ブロック３に設けた受け端子２９に端子台５の差し込み端子５ｃが直接接続される。端子台５は速結端子を内蔵し、点灯ブロック３に向けて斜めに開口した電線挿入孔５ｂを有する。
【００２７】
矩形状の表示パネルとなる表示ユニット６は導光板を有し、引っ掛け部６ａが器具本体１の係止部１３に係止して取付けられ開口１ｆのランプホルダ２の下側の開口部分を塞いでいる。この場合、ランプホルダ２を差し込む前に表示ユニット６を開口１ｆに挿入して係止部１３の上面に当接しスライドすることにより引っ掛け部６ａを係止部１３の裏面側に係合し、ついでランプホルダ２をランプソケット１２に装着し表示ユニット６を同時に固定する。このとき直管ランプが導光板の端面に対向し、直管ランプの光が導光板の端面に入射し、表示ユニット６を光らせる。なお、表示ユニット６が開口１ｆに取付けられた状態でランプホルダ２を表示面に直交する方向に移動させランプホルダ２を離脱することにより着脱することができる。
【００２８】
この発明のＬＥＤチップなどの発光素子はランプモニタ以外の例えば充電モニタにも適用できる。
【図面の簡単な説明】
【００２９】
【図１】この発明の一実施の形態の表示用照明器具の器具本体の正面図である。
【図２】プリント基板を下方からみた部分図である。
【図３】表示用照明器具の底面図である。
【図４】表示用照明器具の分解斜視図である。
【図５】（ａ）は器具本体内の点灯ブロックの部分断面図、（ｂ）はそのランプモニタと器具本体の孔との関係を示す概略断面図である。
【図６】（ａ）はオフ状態の点検スイッチのボタンの位置を示す部分断面図、（ｂ）はオン状態のボタンの位置を示す部分断面図である。
【図７】従来例の表示用照明器具の分解斜視図である。
【図８】表示ユニットを外した状態の正面図である。
【図９】（ａ）は表示用照明器具の底面図、（ｂ）はその部分拡大図である。
【符号の説明】
【００３０】
１    器具本体
１ｄ    下板
１ｆ    開口
３    点灯ブロック
６    表示ユニット
９ａ〜９ｅ  孔
７６    ボタン
７８    プリント基板
８５    点検スイッチ
８６    充電モニタ
８７    ランプモニタ
８８    自己点検スイッチ
８９    リモコン受信部
【図１】
0004506643.tif 000002
【図２】
0004506643.tif 000003
【図３】
0004506643.tif 000004
【図４】
0004506643.tif 000005
【図５】
0004506643.tif 000006
【図６】
0004506643.tif 000007
【図７】
0004506643.tif 000008
【図８】
0004506643.tif 000009
【図９】
0004506643.tif 000010